【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
１つの元画像を構成する複数の画像データを複数の端子から取得する取得手段と、
前記元画像のうち表示手段に表示する領域の位置と前記領域を表示する際の表示倍率とをユーザから受け付ける受付手段と、
前記複数の画像データのうち少なくとも１つの画像データを用いて表示用画像を生成する画像生成手段と、
を有し、
前記画像生成手段は、前記位置および前記表示倍率に基づいて、前記表示用画像の生成に用いる画像データ、および当該画像データから取得する取得領域を決定する、
ことを特徴とする表示制御装置。
【請求項２】
前記複数の画像データは、前記元画像を所定の画素ごとにサンプリングした複数の画像データである、
ことを特徴とする請求項１に記載の表示制御装置。
【請求項３】
前記画像生成手段は、
前記表示倍率が所定の値より小さい場合は、前記複数の画像データのうち１つの画像データを用いて前記表示用画像を生成し、
前記表示倍率が前記所定の値より大きい場合は、前記複数の画像データすべてを用いて前記表示用画像を生成する、
ことを特徴とする請求項２に記載の表示制御装置。
【請求項４】
前記所定の値は、前記画像生成手段が生成可能な画像サイズと前記表示手段の画面解像度との比に応じた値である、
ことを特徴とする請求項３に記載の表示制御装置。
【請求項５】
前記画像生成手段が生成可能な画像サイズは、前記表示手段の画面解像度と等しい、
ことを特徴とする請求項４に記載の表示制御装置。
【請求項６】
前記画像生成手段が生成可能な画像サイズは、前記表示手段の画面解像度よりも大きい、
ことを特徴とする請求項４に記載の表示制御装置。
【請求項７】
前記表示用画像を前記画面解像度に縮小する変換手段をさらに有する、
ことを特徴とする請求項６に記載の表示制御装置。
【請求項８】
前記画像生成手段は、前記表示倍率が前記所定の値より大きい場合は、前記位置に基づいて前記取得領域を端子ごとに決定し、かつ前記位置に基づいて前記表示用画像を生成する際の画素配列を決定する、
ことを特徴とする請求項３から７のいずれか１項に記載の表示制御装置。
【請求項９】
前記画像データは、前記元画像を複数の領域に分割した画像データである、
ことを特徴とする請求項１に記載の表示制御装置。
【請求項１０】
前記画像生成手段は、
前記複数の画像データのそれぞれに対して、当該画像データを構成する複数のサブ画像データであって、当該画像データを所定の画素ごとにサンプリングした複数のサブ画像データを生成し、
前記表示倍率が前記表示用画像の解像度と前記表示手段の画面解像度とが等しくなるときの所定の値より小さい場合は、前記複数の画像データのそれぞれに対応するサブ画像データを用いて前記表示用画像を生成し、
前記表示倍率が前記所定の値より大きい場合は、前記複数の画像データのうち１つ以上の画像データを用いて前記表示用画像を生成する、
ことを特徴とする請求項９に記載の表示制御装置。
【請求項１１】
前記取得手段は、４つの端子のそれぞれから前記画像データを取得する、
ことを特徴とする請求項１から１０のいずれか１項に記載の表示制御装置。
【請求項１２】
前記元画像は、解像度が７６８０×４３２０である８Ｋ画像であって、
前記画像データは、解像度が３８４０×２１６０である４Ｋ画像である、
ことを特徴とする請求項１から１１のいずれか１項に記載の表示制御装置。
【請求項１３】
元画像の分割方式または受信信号の規格を含む信号情報を取得する信号情報取得手段をさらに有する、
ことを特徴とする請求項１から１２のいずれか１項に記載の表示制御装置。
【請求項１４】
前記信号情報には、前記分割方式がＳＱＤ（Ｓｑｕａｒｅ  Ｄｉｖｉｓｉｏｎ）方式であることを示す情報が含まれる、
ことを特徴とする請求項１３に記載の表示制御装置。
【請求項１５】
前記信号情報には、前記分割方式が２ＳＩ（２  Ｓａｍｐｌｅ  Ｉｎｔｅｒｌｅａｖｅ）方式であることを示す情報が含まれる、
ことを特徴とする請求項１３に記載の表示制御装置。
【請求項１６】
前記信号情報には、前記受信信号の規格がＱｕａｄ−Ｌｉｎｋ  １２Ｇ−ＳＤＩであることを示す情報が含まれる、
ことを特徴とする請求項１３から１５のいずれか１項に記載の表示制御装置。
【請求項１７】
請求項１から１６のいずれか１項に記載の表示制御装置と、
前記表示用画像を表示する表示手段と、
を有することを特徴とする表示装置。
【請求項１８】
請求項１から１６のいずれか１項に記載の表示制御装置と、
複数の表示手段と、
を有することを特徴とする表示システムであって、
前記表示制御装置は、前記複数の表示手段の配置をユーザから受け付ける配置設定手段をさらに有し、
前記受付手段は、前記配置に基づいて前記位置を決定する、
ことを特徴とする表示システム。
【請求項１９】
１つの元画像を構成する複数の画像データを複数の端子から取得する取得ステップと、
前記元画像のうち表示手段に表示する領域の位置と前記領域を表示する際の表示倍率とをユーザから受け付ける受付ステップと、
前記複数の画像データのうち少なくとも１つの画像データを用いて表示用画像を生成する画像生成ステップと、
を有し、
前記画像生成ステップでは、前記位置および前記表示倍率に基づいて、前記表示用画像の生成に用いる画像データ、および当該画像データから取得する取得領域を決定する、
ことを特徴とする表示装置の制御方法。
【請求項２０】
コンピュータを、請求項１から１６のいずれか１項に記載された表示制御装置の各手段として機能させるためのプログラム。
【手続補正２】
【補正対象書類名】明細書
【補正対象項目名】発明の名称
【補正方法】変更
【補正の内容】
【発明の名称】表示制御装置、表示装置、表示システム、表示装置の制御方法、およびプログラム
【手続補正３】
【補正対象書類名】明細書
【補正対象項目名】０００１
【補正方法】変更
【補正の内容】
【０００１】
本発明は、表示制御装置、表示装置、表示システム、表示装置の制御方法、およびプログラムに関する。
【手続補正４】
【補正対象書類名】明細書
【補正対象項目名】０００８
【補正方法】変更
【補正の内容】
【０００８】
本発明の一態様は、
１つの元画像を構成する複数の画像データを複数の端子から取得する取得手段と、
前記元画像のうち表示手段に表示する領域の位置と前記領域を表示する際の表示倍率とをユーザから受け付ける受付手段と、
前記複数の画像データのうち少なくとも１つの画像データを用いて表示用画像を生成する画像生成手段と、
を有し、
前記画像生成手段は、前記位置および前記表示倍率に基づいて、前記表示用画像の生成に用いる画像データ、および当該画像データから取得する取得領域を決定する、
ことを特徴とする表示制御装置である。
【手続補正５】
【補正対象書類名】明細書
【補正対象項目名】００１１
【補正方法】変更
【補正の内容】
【００１１】
本発明の一態様は、
１つの元画像を構成する複数の画像データを複数の端子から取得する取得ステップと、
前記元画像のうち表示手段に表示する領域の位置と前記領域を表示する際の表示倍率とをユーザから受け付ける受付ステップと、
前記複数の画像データのうち少なくとも１つの画像データを用いて表示用画像を生成する画像生成ステップと、
を有し、
前記画像生成ステップでは、前記位置および前記表示倍率に基づいて、前記表示用画像の生成に用いる画像データ、および当該画像データから取得する取得領域を決定する、
ことを特徴とする表示装置の制御方法である。
【手続補正６】
【補正対象書類名】明細書
【補正対象項目名】００１２
【補正方法】変更
【補正の内容】
【００１２】
本発明の一態様は、コンピュータを、上記の表示制御装置の各手段として機能させるためのプログラムである。